Podtech/llm-jp-corpus-v4-ja_patent huggingface dataset:
【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
内部クロックのデューティサイクルを補正して出力するデューティサイクル補正手段と、
外部クロックのクロックパルス幅を検出してパルス幅検出信号を出力するクロックパルス幅検出手段と、
前記デューティサイクル補正手段の出力の位相を分離し、前記パルス幅検出信号に相応するように前記位相分離された２つの信号のうち少なくとも１つのパルス幅を調節して、遅延ロックループクロックとして出力するドライブ手段と
を備えることを特徴とする半導体記憶装置の遅延ロックループ回路。
【請求項２】
前記クロックパルス幅検出手段は、
前記外部クロックの周波数を分割する分周部と、
前記分周部の出力を遅延させる遅延部と、
前記分周部の出力と前記遅延部の出力が入力される第１論理回路と、
前記第１論理回路の出力が入力されて前記パルス幅検出信号を出力するラッチと
を備えることを特徴とする請求項１に記載の半導体記憶装置の遅延ロックループ回路。
【請求項３】
前記第１論理回路は、論理積演算を行うように構成されることを特徴とする請求項２に記載の半導体記憶装置の遅延ロックループ回路。
【請求項４】
前記ラッチは、
第１入力端に電源が印加され、出力端を介して前記パルス幅検出信号を出力する第１論理素子と、
前記第１論理回路の出力が入力される反転素子と、
第１入力端には前記第１論理素子の出力が入力され、第２入力端には前記反転素子の出力が入力され、出力端は前記第１論理素子の第２入力端と接続された第２論理素子と
を備えることを特徴とする請求項２又は３に記載の半導体記憶装置の遅延ロックループ回路。
【請求項５】
前記ドライブ手段は、
前記デューティサイクル補正部の出力を第１および第２位相信号に分離して出力する位相分離部と、
前記第１および第２位相信号のうち少なくとも１つのパルス幅を前記パルス幅検出信号によって調節して出力するパルス幅調節部と
を備えることを特徴とする請求項１又は４に記載の半導体記憶装置の遅延ロックループ回路。
【請求項６】
前記パルス幅調節部は、
前記第１位相信号のパルス幅を前記パルス幅検出信号に該当する幅だけ減少させて出力する第１パルス幅調節部と、
前記第２位相信号のパルス幅を前記パルス幅検出信号に該当する幅だけ減少させて出力する第２パルス幅調節部と
を備えることを特徴とする請求項５に記載の半導体記憶装置の遅延ロックループ回路。
【請求項７】
前記第１パルス幅調節部は、
前記第１位相信号を前記パルス幅検出信号に相応する時間だけ遅延させて出力する可変遅延部と、
前記第１位相信号と前記可変遅延部の出力を演算する論理素子と、
前記論理素子の出力と前記第１位相信号を演算する第２論理回路と
を備えることを特徴とする請求項６に記載の半導体記憶装置の遅延ロックループ回路。
【請求項８】
前記可変遅延部は、
前記パルス幅検出信号によって前記第１位相信号を通過させる複数のスイッチング素子と、
前記複数のスイッチング素子の出力を互いに異なる時間だけ遅延させる複数の遅延素子と、
前記複数の遅延素子の出力を演算する第３論理回路と
を備えることを特徴とする請求項７に記載の半導体記憶装置の遅延ロックループ回路。
【請求項９】
前記複数のスイッチング素子は、パスゲートであることを特徴とする請求項８に記載の半導体記憶装置の遅延ロックループ回路。
【請求項１０】
前記第３論理回路は、前記複数の遅延素子の出力を論理和するように構成されることを特徴とする請求項８に記載の半導体記憶装置の遅延ロックループ回路。
【請求項１１】
前記第２論理回路は、前記論理素子の出力と前記第１位相信号を論理積するように構成されることを特徴とする請求項７に記載の半導体記憶装置の遅延ロックループ回路。
【請求項１２】
前記第２パルス幅調節部は、前記第１パルス幅調節部と同一に構成されることを特徴とする請求項６に記載の半導体記憶装置の遅延ロックループ回路。
【請求項１３】
前記ドライブ手段は、前記パルス幅調節部の出力と前記位相分離部の出力をドライブするための第１および第２ドライバをさらに備えることを特徴とする請求項５に記載の半導体記憶装置の遅延ロックループ回路。
【請求項１４】
内部クロックのデューティサイクルを補正して出力するデューティサイクル補正手段と、
前記デューティサイクル補正部の出力の位相を分離し、前記位相分離された２つの信号のうち少なくとも１つのパルス幅を調節して、遅延ロックループクロックとして出力するドライブ手段と
を備えることを特徴とする半導体記憶装置の遅延ロックループ回路。
【請求項１５】
前記ドライブ手段は、
前記デューティサイクル補正部の出力を第１および第２位相信号に分離して出力する位相分離部と、
前記第１および第２位相信号のうち少なくとも１つのパルス幅を調節して出力するパルス幅調節部と
を備えることを特徴とする請求項１４に記載の半導体記憶装置の遅延ロックループ回路。
【請求項１６】
前記パルス幅調節部は、
前記第１位相信号のパルス幅を減少させて出力する第１パルス幅調節部と、
前記第２位相信号のパルス幅を減少させて出力する第２パルス幅調節部と
を備えることを特徴とする請求項１５に記載の半導体記憶装置の遅延ロックループ回路。
【請求項１７】
前記第１パルス幅調節部は、
前記第１位相信号を定められた時間だけ遅延させて出力する遅延部と、
前記第１位相信号と前記遅延部の出力を演算する論理素子と、
前記論理素子の出力と前記第１位相信号を演算する第４論理回路と
を備えることを特徴とする請求項１６に記載の半導体記憶装置の遅延ロックループ回路。
【請求項１８】
前記第４論理回路は、前記論理素子の出力と前記第１位相信号を論理積するように構成されることを特徴とする請求項１７に記載の半導体記憶装置の遅延ロックループ回路。
【請求項１９】
前記第１パルス幅調節部は、前記第２パルス幅調節部と同一に構成されることを特徴とする請求項１６に記載の半導体記憶装置の遅延ロックループ回路。
【請求項２０】
前記ドライブ手段は、前記パルス幅調節部の出力と前記位相分離部の出力をドライブするための第１および第２ドライバをさらに備えることを特徴とする請求項１５に記載の半導体記憶装置の遅延ロックループ回路。
【手続補正書】
【提出日】平成22年7月22日(2010.7.22)
【手続補正１】
【補正対象書類名】特許請求の範囲
【補正対象項目名】全文
【補正方法】変更
【補正の内容】
【特許請求の範囲】
【請求項１】
複数のビットで構成される送信データに対してブロック符号を用いた誤り訂正符号化処理を施すことにより、各々が複数のビットで構成される複数のブロック符号化データを形成し、
１つのシンボルが、前記複数のブロック符号化データのいずれかに属するビットを集めて構成されるように、前記複数のブロック符号化データに属するビットを並べ換え、
前記並べ換えられたブロック符号化データから前記シンボルに対応するベースバンド信号を出力する変調方法であって、
複数の変調方式を用いることができ、
前記ビットの並び換えは、前記複数のブロック符号化データで構成される１系統のデータを入力とし、前記１系統のデータに含まれるビットを並び換えるものであり、いずれの変調方式を用いた場合でも、前記シンボルを構成する複数のビットから任意に抽出される２つのビットは、互いに異なるブロック符号化データに属するビットであり、１つのブロック符号化データを構成するビット数と前記１つのブロック符号化データを送信するのに用いるシンボル数とが同じである
ことを特徴とする変調方法。
【請求項２】
前記シンボルを形成する際には、適応的に変調多値数が可変とされており、
前記複数のブロック符号化データに属するビットを並べ換える際には、前記変調多値数が多くなるほど、１シンボルがより多くのブロック符号化データに含まれるビットが集まって構成されるように、前記複数のブロック符号化データに属するビットを並べ換える
ことを特徴とする請求項１に記載の変調方法。
【請求項３】
複数のビットで構成される送信データに対してブロック符号を用いた誤り訂正符号化処理を施すことにより、各々が複数のビットで構成される複数のブロック符号化データを形成する符号化手段と、
１つのシンボルが、前記複数のブロック符号化データのいずれかに属するビットを集めて構成されるように、前記複数のブロック符号化データに属するビットを並べ換える並び換え手段と、
前記並べ換えられたブロック符号化データから前記シンボルに対応するベースバンド信号を出力する変調手段と
を具備する変調器であって、
前記変調手段は、複数の変調方式を用いることができ、
前記並び換え手段は、前記複数のブロック符号化データで構成される１系統のデータを入力とし、前記１系統のデータに含まれるビットを並び換えるものであり、前記変調手段においていずれの変調方式を用いた場合でも、前記シンボルを構成する複数のビットから任意に抽出される２つのビットが、互いに異なるブロック符号化データに属するビットとなるように並び換え、１つのブロック符号化データを構成するビット数と前記１つのブロック符号化データを送信するのに用いるシンボル数とが同じである
ことを特徴とする変調器。
【請求項４】
前記シンボルを形成する際には、適応的に変調多値数が可変とされており、
前記並び換え手段は、前記変調多値数が多くなるほど、１シンボルがより多くのブロック符号化データに含まれるビットが集まって構成されるように、前記複数のブロック符号化データに属するビットを並べ換える
ことを特徴とする請求項３に記載の変調器。
【手続補正２】
【補正対象書類名】明細書
【補正対象項目名】００１１
【補正方法】変更
【補正の内容】
【００１１】
かかる課題を解決するため本発明の変調方法は、複数のビットで構成される送信データに対してブロック符号を用いた誤り訂正符号化処理を施すことにより、各々が複数のビットで構成される複数のブロック符号化データを形成し、１つのシンボルが、前記複数のブロック符号化データのいずれかに属するビットを集めて構成されるように、前記複数のブロック符号化データに属するビットを並べ換え、前記並べ換えられたブロック符号化データから前記シンボルに対応するベースバンド信号を出力する変調方法であって、複数の変調方式を用いることができ、前記ビットの並び換えは、前記複数のブロック符号化データで構成される１系統のデータを入力とし、前記１系統のデータに含まれるビットを並び換えるものであり、いずれの変調方式を用いた場合でも、前記シンボルを構成する複数のビットから任意に抽出される２つのビットは、互いに異なるブロック符号化データに属するビットであり、１つのブロック符号化データを構成するビット数と前記１つのブロック符号化データを送信するのに用いるシンボル数とが同じであるようにする。
【手続補正３】
【補正対象書類名】明細書
【補正対象項目名】００１２
【補正方法】変更
【補正の内容】
【００１２】
また、本発明の変調器は、複数のビットで構成される送信データに対してブロック符号を用いた誤り訂正符号化処理を施すことにより、各々が複数のビットで構成される複数のブロック符号化データを形成する符号化手段と、１つのシンボルが、前記複数のブロック符号化データのいずれかに属するビットを集めて構成されるように、前記複数のブロック符号化データに属するビットを並べ換える並び換え手段と、前記並べ換えられたブロック符号化データから前記シンボルに対応するベースバンド信号を出力する変調手段とを具備する変調器であって、前記変調手段は、複数の変調方式を用いることができ、前記並び換え手段は、前記複数のブロック符号化データで構成される１系統のデータを入力とし、前記１系統のデータに含まれるビットを並び換えるものであり、前記変調手段においていずれの変調方式を用いた場合でも、前記シンボルを構成する複数のビットから任意に抽出される２つのビットが、互いに異なるブロック符号化データに属するビットとなるように並び換え、１つのブロック符号化データを構成するビット数と前記１つのブロック符号化データを送信するのに用いるシンボル数とが同じである構成を採る。
【誤訳訂正書】
【提出日】平成22年4月27日(2010.4.27)
【誤訳訂正１】
【訂正対象書類名】明細書
【訂正対象項目名】００３７
【訂正方法】変更
【訂正の内容】
【００３７】
セグメンタ１１０は、入力情報語を、いくつかのビットを有する複数の順序付けされたセグメントにセグメント化するようにされている。ジグザグ符号器１２０は、今次のセグメントの冗長ビットを計算するように設計されており、今次のセグメントの冗長ビットを計算するときには、前記順序における前のセグメントの冗長ビットを使用する。符号器１００は、インターリービング規則を用いて複数のセグメントのビットをインターリーブし、インターリーブバージョンを得るインターリーバ１３０を備える。出力符号語コンストラクタ１４０は、入力符号語またはそのインターリーブバージョンと、インターリーブバージョンによって供給され、ジグザグ符号器コア１２０によって生成される１組の冗長ビットを用いて、出力符号語を構築するようにされており、インターリーバ１３０は、入力情報語の全セグメントの少なくとも５０％のセグメントに関して、同じセグメント内に位置する入力情報語のビットが、インターリーブバージョンの少なくとも１つの異なるセグメントに再配置されるようなインターリービング規則を使用するようにされている。
【誤訳訂正２】
【訂正対象書類名】明細書
【訂正対象項目名】００４４
【訂正方法】変更
【訂正の内容】
【００４４】
図３に、入力符号語を復号化し、入力符号語より少ないビット数を有する出力情報語を生成する復号器３００を示す。復号器３００は、セグメンタ３１０と、インターリーバ３２０と、ジグザグ復号器３３０とを備える。セグメンタ３１０は、入力符号語を、いくつかの情報ビットと冗長ビットを有する複数の順序付けされたセグメントにセグメント化するようにされている。復号器３００は、インターリービング規則を用いて複数のセグメントの情報ビットをインターリーブし、情報ビットのインターリーブバージョンを得るインターリーバ３２０を備え、インターリーバ３２０は、入力情報語の全セグメントの少なくとも５０％のセグメントに関して、同じセグメント内に位置する入力情報語のビットが、インターリーブバージョンの少なくとも１つの異なるセグメントに再配置されるような、インターリービング規則を使用するようにされている。復号器３００は、情報ビット、情報ビットのインターリーブバージョンおよび冗長ビットに基づいて出力情報語を計算する、ジグザグ復号器３３０を備える。
【手続補正書】
【提出日】平成22年1月14日(2010.1.14)
【手続補正１】
【補正対象書類名】特許請求の範囲
【補正対象項目名】全文
【補正方法】変更
【補正の内容】
【特許請求の範囲】
【請求項１】
本体枠と、当該本体枠に対して開閉可能に支持される第１扉部材と、を備えた遊技機において、
前記第１扉部材に設けられて当該第１扉部材に対して開閉可能に支持される第２扉部材と、
前記第１扉部材および第２扉部材を閉状態に施錠する施錠装置と、
を備え、
前記施錠装置は、鍵が挿入される鍵穴を前記第１扉部材の前面側に備え、前記鍵穴に挿入された鍵が第１の方向に回動操作されることで前記第１扉部材を解錠するとともに、前記鍵穴に挿入された鍵が第１の方向とは異なる第２の方向に回動操作されることで前記第２扉部材を解錠するものであり、
前記鍵穴に挿入された鍵が第１の方向に回動操作されて所定の回動位置に達するとその回動位置で第２方向には回動不能で、かつ、抜けないように当該鍵を固定する固定手段と、
前記第１扉部材の裏面側に設けられた、前記固定手段による鍵の回動・抜け固定を解除する固定解除手段と、
を備えていることを特徴とする遊技機。
【請求項２】
請求項１に記載の遊技機において、
前記第１扉部材は、前記本体枠に係止する鉤部材を備え、
前記施錠装置は、前記鍵穴に挿入された鍵が第１の方向に回動操作されることで、前記鉤部材を前記本体枠への係止が解除された開位置に変位し、前記第１扉部材を解錠するものであり、
前記固定手段は、前記鍵を回動位置に固定した状態において前記鉤部材を開位置に固定している
ことを特徴とする遊技機。
【請求項３】
請求項１または請求項２に記載の遊技機において、
前記固定解除手段は、前記固定手段による前記鍵の回動固定を解除すると、前記鍵を前記鍵穴に対して挿抜可能な中立位置に自動的に戻す自動復帰手段
を備えていることを特徴とする遊技機。
【請求項４】
請求項３記載の遊技機において、
前記固定解除手段は、前記固定手段による前記鍵の回動固定状態のままで前記第１扉部材を前記本体枠に閉じる際に、前記第１扉部材の所定箇所が前記本体枠の対応する箇所に接触して押されることで前記自動復帰手段が動作して、前記固定手段による前記鍵の回動固定が自動的に解除されるとともに、前記自動復帰手段による前記鍵の中立位置への自動復帰に連動して前記鉤部材が閉位置に変位して前記施錠装置による前記第１扉部材の施錠がされるようになっている
ことを特徴とする遊技機。
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
Ｘ線を使用して被写体を撮影するＸ線撮影部と、該Ｘ線撮影部で取得した生画像に対して画像処理をする画像処理部と、該画像処理部で画像処理した診断画像を表示する表示部とを備えたＸ線透視撮影装置において、
前記画像処理部は、前記生画像が動画像である場合に前記生画像に対し動画像処理を行う動画像処理部と、前記生画像が静止画像である場合に前記生画像に対し静止画像処理を行う静止画像処理部と、前記動画像処理部による処理を行う場合に前記動画像の少なくとも１フレームに基づいて前記静止画像処理部に入力する静止画像処理パラメータを作成する静止画像パラメータ作成部と、前記静止画像処理パラメータを保存する静止画像パラメータ保存部とを有することを特徴とするＸ線透視撮影装置。
【請求項２】
前記静止画像パラメータ作成部は、静止画撮影条件パラメータを作成すると共に、該静止画撮影条件パラメータによって、静止画撮影における撮影条件を制御する撮影制御部を有することを特徴とする請求項１に記載のＸ線透視撮影装置。
【請求項３】
前記撮影条件とは、Ｘ線発生部の電圧、電流、曝射時間、コリメータ絞りとすることを特徴とする請求項２に記載のＸ線透視撮影装置。
【請求項４】
前記静止画像パラメータ作成部は、前記動画像の複数フレームを用いて、静止画像１枚分の前記静止画像処理パラメータを出力することを特徴とする請求項１に記載のＸ線透視撮影装置。
【請求項５】
前記静止画像１枚分の前記静止画像処理パラメータに対する前記静止画像パラメータ作成部への入力フレーム数は、フレームレート、Ｘ線撮影部位、撮影条件によって変更することを特徴とする請求項４に記載のＸ線透視撮影装置。
【請求項６】
前記静止画像処理パラメータの数は、フレームレート、Ｘ線撮影部位、撮影条件によって変更することを特徴とする請求項４に記載のＸ線透視撮影装置。
【請求項７】
前記静止画像処理パラメータは、フレームレート、Ｘ線撮影部位、撮影条件によって算出優先度を決め、該算出優先度に従って前記静止画像処理パラメータの数を決定することを特徴とする請求項４に記載のＸ線透視撮影装置。
【手続補正２】
【補正対象書類名】明細書
【補正対象項目名】００１２
【補正方法】変更
【補正の内容】
【００１２】
上記目的を達成するための本発明に係るＸ線透視撮影装置の技術的特徴は、Ｘ線を使用して被写体を撮影するＸ線撮影部と、該Ｘ線撮影部で取得した生画像に対して画像処理をする画像処理部と、該画像処理部で画像処理した診断画像を表示する表示部とを備えたＸ線透視撮影装置において、前記画像処理部は、前記生画像が動画像である場合に前記生画像に対し動画像処理を行う動画像処理部と、前記生画像が静止画像である場合に前記生画像に対し静止画像処理を行う静止画像処理部と、前記動画像処理部による処理を行う場合に前記動画像の少なくとも１フレームに基づいて前記静止画像処理部に入力する静止画像処理パラメータを作成する静止画像パラメータ作成部と、前記静止画像処理パラメータを保存する静止画像パラメータ保存部とを有することにある。
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
Ｘ線透視撮影を行うＸ線撮影装置であって、Ｘ線管球から発生するＸ線によりＸ線像を撮影する撮影手段と、該撮影手段で撮影された画像を読み取る画像読取手段と、曝射釦からの曝射信号を検知する曝射検知手段と、前記Ｘ線管球を制御すると共に前記曝射検知手段からのラストイメージホールド曝射信号によりラストイメージホールド画像の撮影を行うＸ線発生制御手段と、該Ｘ線発生制御手段の出力により前記ラストイメージホールド画像の撮影方法を設定する設定手段と、前記画像読取手段により読み取った画像及び前記設定手段により設定した撮影条件を記憶する記憶手段と、該記憶手段により記憶した画像を表示する表示手段と、前記設定手段により設定する撮影条件を指示するための指示入力手段とを有することを特徴とするＸ線撮影装置。
【請求項２】
前記設定手段は前記ラストイメージホールド画像用の撮影条件として透視撮影よりも強いＸ線曝射量を設定することを特徴とする請求項１に記載のＸ線撮影装置。
【請求項３】
前記設定手段は前記ラストイメージホールド画像用の撮影条件としてＸ線曝射回数を設定することを特徴とする請求項１に記載のＸ線撮影装置。
【請求項４】
前記設定手段は前記ラストイメージホールド画像用の撮影条件としてＸ線曝射間隔を設定することを特徴とする請求項１に記載のＸ線撮影装置。
【請求項５】
前記設定手段は撮影した前記ラストイメージホールド画像から前記表示手段に表示するＸ線画像の組合わせを設定することを特徴とする請求項１に記載のＸ線撮影装置。
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が付された複数の周回体と、
前記各周回体について各絵柄のうち一部の絵柄を視認可能とする表示部と、
前記各周回体の周回を開始させるべく操作される始動操作手段と、
前記始動操作手段の操作に基づいて役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記役の抽選結果及び前記各停止操作手段の操作に基づいて、該各停止操作手段の操作タイミングから予め定めた規定期間に、操作された停止操作手段と対応する周回体の周回を停止させるよう前記各駆動手段を停止駆動制御する停止駆動制御手段と、
前記役の抽選結果が当選であって、前記表示部から視認できる有効位置に当選役と対応する組合せ態様が停止した場合、入賞成立として遊技者に特典を付与する特典付与手段とを備えた遊技機において、
前記役の抽選結果が第１特定役当選であって、前記有効位置に第１特定組合せが停止したことに基づいて、遊技状態を第１遊技状態より遊技者に有利な第２遊技状態に移行させる特典を付与する第２遊技状態移行手段と、
前記役の抽選結果が第２特定役当選であって、前記有効位置に第２特定組合せが停止したことに基づいて、遊技状態を前記第２遊技状態より遊技者に有利な第３遊技状態に移行させる特典を付与する第３遊技状態移行手段と、
前記役の抽選結果が第１所定役当選であって前記有効位置に第１所定組合せが停止したことに基づいて、遊技状態を前記第１遊技状態より遊技者に不利な第４遊技状態に移行させる第４遊技状態移行手段と、
前記役の抽選結果が第２所定役当選であって前記有効位置に第２所定組合せが停止したことに基づいて、遊技状態を前記第１遊技状態より遊技者に不利な第５遊技状態に移行させる第５遊技状態移行手段と、
前記第１所定役に当選する確率が前記第２所定役に当選する確率より高くなるように、前記役の抽選に用いる抽選情報が記憶された抽選情報記憶手段と
を備え、
前記各周回体のうち規定周回体には、前記第１特定組合せを形成する第１特定絵柄と、前記第２特定組合せを形成する第２特定絵柄とを、一方の特定絵柄が前記規定期間に前記有効位置に到達することが可能なタイミングで対応する停止操作手段を操作された場合、他方の特定絵柄が前記操作タイミングからの前記規定期間に前記有効位置に到達しないよう、離間して配置し、さらに、前記第１特定絵柄が前記規定期間に前記有効位置に到達することが可能なタイミングで対応する停止操作手段を操作された場合、前記第２所定組合せを形成する第２所定絵柄が前記操作タイミングからの前記規定期間に前記有効位置に到達し得るように、前記第２特定絵柄が前記規定期間に前記有効位置に到達することが可能なタイミングで対応する停止操作手段を操作された場合、前記第１所定組合せを形成する第１所定絵柄が前記操作タイミングからの前記規定期間に前記有効位置に到達し得るように、前記第１所定絵柄と前記第２所定絵柄を配置したことを特徴とする遊技機。
【請求項２】
前記抽選情報記憶手段には、前記第２特定役に当選する確率が前記第１特定役に当選する確率より低くなるように前記抽選情報を記憶させたことを特徴とする請求項１に記載の遊技機。
【請求項３】
前記抽選情報記憶手段には、前記第１特定役に当選する確率と前記第２所定役に当選する確率とが等しくなるように、且つ前記第２特定役に当選する確率と前記第１所定役に当選する確率とが等しくなるように、前記抽選情報を記憶させたことを特徴とする請求項１又は２に記載の遊技機。
【請求項４】
前記第１特定役及び前記第１所定役に当選となる第１抽選情報と、前記第２特定役及び前記第２所定役に当選となる第２抽選情報と、を前記抽選情報記憶手段に記憶させたことを特徴とする請求項１乃至３のいずれか１に記載の遊技機。
【請求項５】
周方向に周回すると共に、該周方向に複数種の絵柄が付された複数の周回体と、
前記各周回体について各絵柄のうち一部の絵柄を視認可能とする表示部と、
前記各周回体の周回を開始させるべく操作される始動操作手段と、
前記始動操作手段の操作に基づいて役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記役の抽選結果及び前記各停止操作手段の操作に基づいて、該各停止操作手段の操作タイミングから予め定めた規定期間に、操作された停止操作手段と対応する周回体の周回を停止させるよう前記各駆動手段を停止駆動制御する停止駆動制御手段と、
前記役の抽選結果が当選であって、前記表示部から視認できる有効位置に当選役と対応する組合せ態様が停止した場合、入賞成立として遊技者に特典を付与する特典付与手段と
を備えた遊技機において、
前記役の抽選結果が第１特定役当選であって、前記有効位置に第１特定組合せが停止したことに基づいて、遊技状態を第１遊技状態より遊技者に有利な第２遊技状態に移行させる特典を付与する第２遊技状態移行手段と、
前記役の抽選結果が第２特定役当選であって、前記有効位置に第２特定組合せが停止したことに基づいて、遊技状態を前記第２遊技状態より遊技者に有利な第３遊技状態に移行させる特典を付与する第３遊技状態移行手段と、
前記役の抽選結果が前記第１特定役当選であって前記有効位置に第１所定組合せが停止したことに基づいて、遊技状態を前記第１遊技状態より遊技者に不利な第４遊技状態に移行させる第４遊技状態移行手段と、
前記役の抽選結果が前記第２特定役当選であって前記有効位置に第２所定組合せが停止したことに基づいて、遊技状態を前記第１遊技状態より遊技者に不利な第５遊技状態に移行させる第５遊技状態移行手段と、
前記第１特定役に当選する確率が前記第２特定役に当選する確率より高くなるように、前記役の抽選に用いる抽選情報が記憶された抽選情報記憶手段と
を備え、
前記各周回体のうち規定周回体には、前記第１特定組合せを形成する第１特定絵柄と、前記第２特定組合せを形成する第２特定絵柄とを、一方の特定絵柄が前記規定期間に前記有効位置に到達することが可能なタイミングで対応する停止操作手段を操作された場合、他方の特定絵柄が前記操作タイミングからの前記規定期間に前記有効位置に到達しないよう、離間して配置し、さらに、前記第１特定絵柄が前記規定期間に前記有効位置に到達することが可能なタイミングで対応する停止操作手段を操作された場合、前記第２所定組合せを形成する第２所定絵柄が前記操作タイミングからの前記規定期間に前記有効位置に到達し得るように、前記第２特定絵柄が前記規定期間に前記有効位置に到達することが可能なタイミングで対応する停止操作手段を操作された場合、前記第１所定組合せを形成する第１所定絵柄が前記操作タイミングからの前記規定期間に前記有効位置に到達し得るように、前記第１所定絵柄と前記第２所定絵柄を配置したことを特徴とする遊技機。
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が付された複数の周回体と、
前記各周回体について各絵柄のうち一部の絵柄を視認可能とする表示部と、
前記各周回体の周回を開始させるべく操作される始動操作手段と、
前記始動操作手段の操作に基づいて役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記役の抽選結果及び前記各停止操作手段の操作に基づいて、該各停止操作手段の操作タイミングから予め定めた規定期間に、操作された停止操作手段と対応する周回体の周回を停止させるよう前記各駆動手段を停止駆動制御する停止駆動制御手段と、
前記役の抽選結果が当選であって、前記表示部から視認できる有効位置に当選役と対応する組合せ態様が停止した場合、入賞成立として遊技者に特典を付与する特典付与手段と
を備えた遊技機において、
前記役の抽選結果が特定役当選であって前記有効位置に特定組合せが停止したことに基づいて、遊技状態を第１遊技状態より遊技者に有利な第２遊技状態に移行させる特典を付与する第２遊技状態移行手段と、
前記役の抽選結果が所定役当選であって前記有効位置に所定組合せが停止したことに基づいて、遊技状態を前記第１遊技状態より遊技者に不利な第３遊技状態に移行させる第３遊技状態移行手段と
を備え、
前記各周回体のうち規定周回体には、前記特定組合せを形成する特定絵柄と、前記所定組合せを形成する所定絵柄とを、前記特定絵柄が前記規定期間に前記有効位置に到達することが可能なタイミングで対応する停止操作手段を操作された場合、前記所定絵柄が前記操作タイミングからの前記規定期間に前記有効位置に到達し得るように、前記特定絵柄と前記所定絵柄を配置し、さらに、所定タイミングで対応する停止操作手段を操作された場合、前記所定タイミングからの前記規定期間に前記特定絵柄及び前記所定絵柄が前記有効位置に到達しないように、前記特定絵柄と前記所定絵柄を配置したことを特徴とする遊技機。
【請求項２】
周方向に周回すると共に、該周方向に複数種の絵柄が付された複数の周回体と、
前記各周回体について各絵柄のうち一部の絵柄を視認可能とする表示部と、
前記各周回体の周回を開始させるべく操作される始動操作手段と、
前記始動操作手段の操作に基づいて役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記役の抽選結果及び前記各停止操作手段の操作に基づいて、該各停止操作手段の操作タイミングから予め定めた規定期間に、操作された停止操作手段と対応する周回体の周回を停止させるよう前記各駆動手段を停止駆動制御する停止駆動制御手段と、
前記役の抽選結果が当選であって、前記表示部から視認できる有効位置に当選役と対応する組合せ態様が停止した場合、入賞成立として遊技者に特典を付与する特典付与手段と
を備えた遊技機において、
前記役の抽選結果が特定役当選であって前記有効位置に特定組合せが停止したことに基づいて、遊技状態を第１遊技状態より遊技者に有利な第２遊技状態に移行させる特典を付与する第２遊技状態移行手段と、
前記役の抽選結果が前記特定役当選であって前記有効位置に所定組合せが停止したことに基づいて、遊技状態を前記第１遊技状態より遊技者に不利な第３遊技状態に移行させる第３遊技状態移行手段と
を備え、
前記各周回体のうち規定周回体には、前記特定組合せを形成する特定絵柄と、前記所定組合せを形成する所定絵柄とを、前記特定絵柄が前記規定期間に前記有効位置に到達することが可能なタイミングで対応する停止操作手段を操作された場合、前記所定絵柄が前記操作タイミングからの前記規定期間に前記有効位置に到達し得るように、前記特定絵柄と前記所定絵柄を配置し、さらに、所定タイミングで対応する停止操作手段を操作された場合、前記所定タイミングからの前記規定期間に前記特定絵柄及び前記所定絵柄が前記有効位置に到達しないように、前記特定絵柄と前記所定絵柄を配置したことを特徴とする遊技機。
【請求項３】
前記停止駆動制御手段は、前記周回体の周回を停止させる停止態様として、前記停止操作手段が操作されたタイミングで前記有効位置に到達している到達絵柄をそのまま当該有効位置に停止させる停止態様と、前記到達絵柄を前記周回体の周回する側に予め定めた絵柄数分だけ移動させた後に停止させる停止態様と、のうち複数の停止態様を有し、
前記規定周回体には、前記到達絵柄の移動できる最大絵柄数より大きな絵柄数にわたって前記各特定絵柄及び前記各所定絵柄が配置されていない非配置区間を設けたことを特徴とする請求項１又は２に記載の遊技機。
【請求項４】
前記規定周回体以外の周回体には、前記各特定絵柄及び前記各所定絵柄として同じ絵柄を配置したことを特徴とする請求項１乃至３のいずれか１に記載の遊技機。
【請求項５】
前記規定周回体以外の周回体には、対応する停止操作手段の操作タイミングに関わらず、前記各特定絵柄及び前記各所定絵柄としての絵柄を前記操作タイミングからの前記規定期間に前記有効位置に到達させ得るよう、前記絵柄を配置したことを特徴とする請求項４に記載の遊技機。
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
矩形枠状に構成された固定枠と、
遊技機本体を構成し、前記固定枠の左右両辺の枠構成部の一方側にて開閉可能に支持された開閉部材と、
前記固定枠の左右両辺の枠構成部の他方側にて当該固定枠に対し前記開閉部材を施錠する施錠機構とを備えた遊技機であって、
少なくとも前記左右両辺の枠構成部は金属製材料により成形されるとともに、前記他方側の枠構成部の内側面には突条部が上下方向に沿って形成されていることを特徴とする遊技機。
【請求項２】
前記開閉部材の閉時において、前記突条部が前記開閉部材に当接することを特徴とする請求項１に記載の遊技機。
【請求項３】
前記突条部の先端部から前方へ延出した折返し部を備え、
前記開閉部材の閉時において、前記折返し部が前記開閉部材に形成された溝部に嵌り込むことを特徴とする請求項１又は２に記載の遊技機。
【請求項４】
前記左右両辺の枠構成部の本体壁部は、断面略コ字状をなし長手方向に沿って延びる凹型壁部と、断面略逆コ字状をなし長手方向に沿って延びる凸型壁部とが幅方向に交互に連続形成されてなることを特徴とする請求項１乃至３のいずれかに記載の遊技機。
【手続補正書】
【提出日】平成21年12月24日(2009.12.24)
【手続補正１】
【補正対象書類名】明細書
【補正対象項目名】００１２
【補正方法】変更
【補正の内容】
【００１２】
図２は、図１に示したクリップ部１の詳細を示すもので、このクリップ部は、ハサミ形状で、クリップ部１１と握り部１２をその両側に有する２個のクリップ片１３がその中心部１４で螺合（ジョイント）されている。この２つの握り部１２の間には、バネ１５がセットされており、この図でははさみ形体のクリップ部１１を常に開放する（開く）ように賦勢されている。１６は、一方のクリップ部１１に設けられたフックで、このフック１６は他方のクリップ部に設けられているピン（突起）１７に引っ掛けられ、両クリップ部の開放（開き）を阻止するものである。上記ピン１７は、図３で示すように、クリップ部１１から突き出しており、このピン１７は、後述のレリースワイヤーに接続され、動作される。
【手続補正２】
【補正対象書類名】明細書
【補正対象項目名】００１４
【補正方法】変更
【補正の内容】
【００１４】
図３は、図２のＡ−Ａの点線から見た図で、クリップ部１１からピン（突起）１７がとび出しており、このピン１７にその先端が湾曲したフック１６が繋合し、両クリップ間に駆血帯２を挟持する状態を維持する。このピン１７は、レリースワイヤーの芯材４１に繋がり、この芯材４１は、駆動部９のペタル９１に接続される。なお、４２はレリースワイヤー４のガイド管であり、このガイド管４２は、駆動部９の枠体９２とクリップ部１１間
に接続されており、この中を芯材４１が移動し、ペタル９１の踏み込みで、ピン１７が動作する。また９３は、ペタル９１を常にもとの位置に復帰させるバネで、ペタルを踏んでいる以外の時は、ピン１７が、クリップ部から突起している状態を維持する。
【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
被検眼角膜に接触させた超音波プローブによって受信した眼組織からの反射エコーに基づいて眼軸長、角膜厚等の測定対象領域の測定値をサンプリングし、所定の許容範囲に含まれる測定値を有効データとし、該有効データが所定個数になったときに自動的に測定を停止する眼科用超音波診断装置において、
サンプリングされた測定値が前記有効データの許容範囲にあるか否かを判定し、測定値が前記有効データの許容範囲から外れたときは、測定値が前記有効データの許容範囲より短い側に外れたかを判定する判定手段と、
該判定手段による判定結果を通知する通知手段と、を備えることを特徴とする眼科用超音波診断装置。
【請求項２】
請求項１の眼科用超音波診断装置において、前記通知手段は、測定値が前記有効データの許容範囲にある場合の判定結果と短い側に外れた場合の判定結果とをそれぞれ予め約束された異なる表示態様又は異なる音により測定中に通知する手段を含むことを特徴とする眼科用超音波診断装置。
【請求項３】
請求項１の眼科用超音波診断装置は、眼組織からの反射エコーに基づいてサンプリングされた測定対象組織の測定値を順次記憶する記憶手段と、
該記憶手段に記憶された測定値について前記所定の許容範囲に含まれる測定値の個数が多いグループを有効データとして設定する有効データ設定手段と、を備え、
前記判定手段は、前記記憶手段に測定値が記憶される毎に前記有効データ設定手段により設定された有効データの許容範囲に対して判定を行うことを特徴とする眼科用超音波診断装置。
【請求項４】
請求項３の眼科用超音波診断装置において、前記有効データ設定手段は、前記有効データの範囲から長い側に外れて得られた測定値について、所定の許容範囲に含まれる測定値が２個以上で設定された所定の個数以上あるときは、前記長い側に外れた各測定値を基準にそれぞれ前記所定の許容範囲のグループを設定し、該設定した各グループに含まれる測定値の個数が最も多いグループの測定値を新たな有効データとすることを特徴とする眼科用超音波診断装置。
【請求項５】
請求項１〜４の何れかの眼科用超音波診断装置において、前記判定手段はさらに測定値が前記有効データの許容範囲より長い側に外れたかをも判定し、前記通知手段は測定値が前記有効データの許容範囲にある場合の判定結果と、短い側に外れた場合の判定結果と、長い側に外れた場合の判定結果の３つの判定結果を通知する手段であることを特徴とする眼科用超音波診断装置。
【手続補正２】
【補正対象書類名】明細書
【補正対象項目名】０００６
【補正方法】変更
【補正の内容】
【０００６】
（１）  被検眼角膜に接触させた超音波プローブによって受信した眼組織からの反射エコーに基づいて眼軸長、角膜厚等の測定対象領域の測定値をサンプリングし、所定の許容範囲に含まれる測定値を有効データとし、該有効データが所定個数になったときに自動的に測定を停止する眼科用超音波診断装置において、サンプリングされた測定値が前記有効データの許容範囲にあるか否かを判定し、測定値が前記有効データの許容範囲から外れたときは、測定値が前記有効データの許容範囲より短い側に外れたかを判定する判定手段と、該判定手段による判定結果を通知する通知手段と、を備えることを特徴とする。
（２）  （１）の眼科用超音波診断装置において、前記通知手段は、測定値が前記有効データの許容範囲にある場合の判定結果と短い側に外れた場合の判定結果とをそれぞれ予め約束された異なる表示態様又は異なる音により測定中に通知する手段を含むことを特徴とする。
（３）  （１）の眼科用超音波診断装置は、眼組織からの反射エコーに基づいてサンプリングされた測定対象組織の測定値を順次記憶する記憶手段と、該記憶手段に記憶された測定値について前記所定の許容範囲に含まれる測定値の個数が多いグループを有効データとして設定する有効データ設定手段と、を備え、前記判定手段は、前記記憶手段に測定値が記憶される毎に前記有効データ設定手段により設定された有効データの許容範囲に対して判定を行うことを特徴とする。
（４）  （３）の眼科用超音波診断装置において、前記有効データ設定手段は、前記有効データの範囲から長い側に外れて得られた測定値について、所定の許容範囲に含まれる測定値が２個以上で設定された所定の個数以上あるときは、前記長い側に外れた各測定値を基準にそれぞれ前記所定の許容範囲のグループを設定し、該設定した各グループに含まれる測定値の個数が最も多いグループの測定値を新たな有効データとすることを特徴とする。
（５）  （１）〜（４）の何れかの眼科用超音波診断装置において、前記判定手段はさらに測定値が前記有効データの許容範囲より長い側に外れたかをも判定し、前記通知手段は測定値が前記有効データの許容範囲にある場合の判定結果と、短い側に外れた場合の判定結果と、長い側に外れた場合の判定結果の３つの判定結果を通知する手段であることを特徴とする。
【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
洗車ブラシ、ねじりブラシ、洗浄ブラシ、回転ロータ、清掃用ブラシ等の各種ブラシに用いられるブラシ用毛材において、該ブラシ用毛材は、異材質からなる複数の繊維が束ねられて形成された長尺の繊維束を蛇行状に折曲させて仮止め糸により帯状に連ねた帯板状体からなることを特徴とするブラシ用毛材。
【請求項２】
帯板状体の少なくとも１端面が切断されてあることを特徴とする請求項１に記載のブラシ用毛材。
【請求項３】
長尺の繊維束は、線径の異なる複数の繊維が束ねられて形成されてあることを特徴とする請求項１又は２に記載のブラシ用毛材。
【請求項４】
帯板状体の両端面が切断されてあることを特徴とする請求項１〜３のいずれか１項に記載のブラシ用毛材。
【手続補正２】
【補正対象書類名】明細書
【補正対象項目名】０００９
【補正方法】変更
【補正の内容】
【０００９】
請求項３の発明は、請求項１又は２の発明において、長尺の繊維束は線径の異なる複数の繊維が束ねられて形成されてあることに特徴を有する。その為、線径の異なる繊維を複数本混ぜた前記繊維束を前記帯板状体にすることにより、長手方向にたいして線径の異なる複数の繊維束が一定割合にて配列した前記ブラシ用毛材を形成することができる。その為、洗車ブラシ、ねじりブラシ、洗浄ブラシ、回転ロータ、清掃用ブラシ等の各種ブラシに用いられるブラシ用毛材に、細い線径の有する細部への入り込みの容易性、傷つけ難さ等の性質と太い線径の有する高い掻き出し力、同材質における毛腰の強さが高い等の性質を付与できる。例えば、洗車ブラシあるいは、洗浄ブラシ、ブラシロールとして使用する場合には、ブラシ用毛材の線径が太い場合には、被洗浄面を太い線径の繊維にて叩きつけるように洗浄する。又、線径の細い場合には、被洗浄面を細い線径の繊維にて拭き取るように洗浄する。又、ねじりブラシあるいは、回転ロータまたは、清掃用ブラシに使用する場合には、ブラシ用毛材の線径が太い場合には、被洗浄面に対し強く擦りつけて掻き出す。ブラシ用毛材の線径が細い場合には、被洗浄面に対し柔らかく当接して拭取り洗浄する。又、線径の異なる繊維の本数、材質等の設定は、使用目的に応じて、適時、最適な設定をする。
【手続補正３】
【補正対象書類名】明細書
【補正対象項目名】００１０
【補正方法】変更
【補正の内容】
【００１０】
請求項４の発明は、請求項１〜３のいずれか１項に記載の発明において、帯板状体の両端面が切断されてあることに特徴を有する。その為、細い溝に入り込んだ塵埃に対しても、前記ブラシ用毛材の端部が被洗浄面の細い溝の中に入り込み塵埃を掻き出すことができる。
【手続補正４】
【補正対象書類名】明細書
【補正対象項目名】００１３
【補正方法】変更
【補正の内容】
【００１３】
また、請求項３の発明では、請求項１又は２の発明において、帯板状体の繊維束は線径の異なる繊維にて形成されてある構成としたので、長手方向にたいして線径の異なる繊維が一定割合にて配列してある。その為、線径の異なる繊維を同時に被洗浄面に当節できる為、異なる付着力でこびりついた種々の汚れに対しても、同時に且つ、迅速、確実に除去できる。例えば、前記ブラシ用毛材をエアコンのフィルタ掃除用の清掃体等に使用した場合には、前記ブラシ用毛材に使用されてある前記ブラシ用毛材を線径が細い繊維では、フィルタの細かな目に毛材が入り込むことができる為、フィルタに溜まった塵埃を掻き取る事ができる。又、こびり付いた油分には、線径が太い繊維を使用することにより、こびり付いた油分を擦り取るといった清掃方法が可能となる。
【手続補正５】
【補正対象書類名】明細書
【補正対象項目名】００１４
【補正方法】変更
【補正の内容】
【００１４】
また、請求項４の発明では、請求項１〜３のいずれか１項に記載の発明において、帯板状体の両端面が切断されてある。その為、細い溝に入り込んだ塵埃に対しても、前記ブラシ用毛材を構成する切断された繊維が前記細い溝の中に入り込み塵埃を掻き出すことができる。
【手続補正書】
【提出日】平成21年11月26日(2009.11.26)
【手続補正１】
【補正対象書類名】明細書
【補正対象項目名】０００５
【補正方法】変更
【補正の内容】
【０００５】
本発明は係る実情に鑑みてなされたものであって、アルデヒド類への高い除去効率を発現し、かつ、長期間使用することができる脱臭材を提供することを目的としている。
【手続補正２】
【補正対象書類名】明細書
【補正対象項目名】００１１
【補正方法】変更
【補正の内容】
【００１１】
カルボジヒドラジドは、化学式ＮＨ２ＮＨ−ＣＯ−ＮＨＮＨ２で表される。このカルボジヒドラジドは、含水珪酸マグネシウムハニカム成形体１００重量部に対して１重量部以上１５重量部以下、好ましくは５重量部以上１０重量部以下となるように、上記含水珪酸マグネシウムハニカム成形体に添着される。
【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
複数の配線層と、
複数の配線層のいずれかと電気的に接続された薄膜トランジスタと、を有し、
前記複数の配線は、それぞれ最大線幅と最小線幅とが繰り返された形状を有し、
前記薄膜トランジスタはＩｎが添加された半導体層を有することを特徴とする半導体装置。
【請求項２】
複数の配線層と、
複数の配線層のいずれかと電気的に接続された薄膜トランジスタと、を有し、
前記複数の配線は、それぞれ最大線幅と最小線幅とが繰り返された形状を有し、
前記薄膜トランジスタはＧａが添加された半導体層を有することを特徴とする半導体装置。
【請求項３】
複数の配線層と、
複数の配線層のいずれかと電気的に接続された薄膜トランジスタと、を有し、
前記複数の配線は、それぞれ最大線幅と最小線幅とが繰り返された形状を有し、隣接する配線の間隔は一定であり、
前記薄膜トランジスタはＩｎが添加された半導体層を有することを特徴とする半導体装置。
【請求項４】
複数の配線層と、
複数の配線層のいずれかと電気的に接続された薄膜トランジスタと、を有し、
前記複数の配線は、それぞれ最大線幅と最小線幅とが繰り返された形状を有し、隣接する配線の間隔は一定であり、
前記薄膜トランジスタはＧａが添加された半導体層を有することを特徴とする半導体装置。
【請求項５】
請求項１乃至請求項４のいずれか一において、
前記薄膜トランジスタを有する薄膜集積回路と、
前記薄膜集積回路と電気的に接続されたアンテナとを有し、
前記アンテナは、絶縁層を介して前記薄膜トランジスタ上に設けられていることを特徴とする半導体装置。
【請求項６】
請求項５において、
前記絶縁層は、アクリルまたはポリイミドを有することを特徴とする半導体装置。
【請求項７】
請求項５または請求項６において、
前記薄膜集積回路は、記憶素子、ダイオード、光電変換素子、抵抗素子、コイル、容量素子、またはインダクタを有することを特徴とする半導体装置。
【請求項８】
請求項５乃至請求項７のいずれか一において、
前記アンテナは液滴吐出法により形成されたため、膜厚方向に膜厚が異なることを特徴とする半導体装置。
【請求項９】
請求項５乃至請求項８のいずれか一において、
前記薄膜集積回路および前記アンテナはカバー材によって挟まれていることを特徴とする半導体装置。
【請求項１０】
請求項９において、
前記薄膜集積回路は接着剤を介して前記カバー材に設けられていることを特徴とする半導体装置。
【請求項１１】
請求項１乃至請求項１０のいずれか一において、
前記薄膜トランジスタはゲート絶縁層を有し、
前記ゲート絶縁膜は、珪素の酸化物材料または珪素の窒化物材料等の材料からなることを特徴とする半導体装置。
【請求項１２】
請求項１乃至請求項１０のいずれか一において、
前記薄膜トランジスタはゲート絶縁層を有し、
前記ゲート絶縁膜は、Ａｌを含んだ酸化物材料からなることを特徴とする半導体装置。
【請求項１３】
請求項１乃至請求項１０のいずれか一において、
前記薄膜トランジスタはゲート絶縁層を有し、
前記ゲート絶縁膜は、Ｔｉを含んだ酸化物材料からなることを特徴とする半導体装置。
【請求項１４】
請求項１乃至請求項１３のいずれか一において、
前記複数の配線層は、隣接する複数の信号線であることを特徴とする半導体装置。
【請求項１５】
請求項１乃至請求項１３のいずれか一において、
前記複数の配線層は、隣接する複数の走査線であることを特徴とする半導体装置。
【請求項１６】
請求項１乃至請求項１３のいずれか一において、
前記複数の配線層は、前記薄膜トランジスタのソース電極層およびドレイン電極層であることを特徴とする半導体装置。
【請求項１７】
請求項１乃至請求項１６のいずれか一において、
前記複数の配線層のうち第１の配線は、第１の吐出工程により吐出された複数の第１の液滴、及び第２の吐出工程により前記複数の第１の液滴間に吐出された複数の第３の液滴により形成され、
前記複数の配線層のうち第２の配線は、前記第１の吐出工程により吐出された複数の第２の液滴及び前記第２の吐出工程により前記複数の第２の液滴間に吐出された複数の第４の液滴により形成され、
前記複数の第１の液滴及び前記複数の第３の液滴のそれぞれの中心は、第１の線上にあり、
前記複数の第２の液滴及び前記複数の第４の液滴のそれぞれの中心は、前記第１の線と平行な第２の線上にあり、
前記第１の配線は、前記第１の線に対して線対称であり、
前記第２の配線は、前記第２の線に対して線対称であることを特徴とする半導体装置。